(57)【要約】【課題】従来のハンディスキャナ装置は、実際に原稿上の読取り開始と終了したい場所が隠れて見えないため、読取り後、画像表示をした場合、画像が中途で切れていたり、不要な部分が表示され所望の画像が得られない問題があった。【解決手段】ハンディスキャナ装置本体の移動方向の先端を原稿に合わせた後、読取り部で読取りを開始し、前記先端から読取り部までの距離に相当する距離移動した後、メモリへの書き込みを開始し、本体後端を原稿の所望位置に合わせて終了させた後、メモリに書き込んだデータについて、前記読取り部から後端までの距離に相当するデータを無効にした。【選択図】    図１
2004266591.tif 000002
【特許請求の範囲】
【請求項１】
スキャナ本体の底面で、かつ、スキャナ本体の移動方向の後端部から所定の距離離れた位置に原稿読取り部を有するハンディスキャナ装置であって、
前記原稿読取り部が読取った読取りデータを記憶するメモリと、
該メモリに対して書き込みと読出しの制御を行う制御部とを有し、
該制御部は該メモリに記憶した読取りデータのうち、読取り終了信号を受信した時点から前記所定の距離に対応した読取りデータを無効とすることを特徴とするハンディスキャナ装置。
【請求項２】
前記制御部は、前記メモリに記憶した読取りデータのうち、前記無効とされたデータについては画像処理装置に出力しないことを特徴とする請求項１に記載のハンディスキャナ装置。
【請求項３】
前記制御部は、２回目からの読取りデータを、前記メモリに記憶したデータの前記無効とされなかった最終データに続いて順次記憶することを特徴とする請求項１と２に記載のハンディスキャナ装置。
【請求項４】
前記原稿読取り部を前記スキャナ本体の先端部からの距離と後端部からの距離とが等しくなる位置に設けたことを特徴とする請求項１乃至３に記載のハンディスキャナ装置。
【発明の詳細な説明】
【０００１】
【発明の属する技術分野】
本発明はスキャナ本体を、読取る原稿上を移動させて原稿を読取るハンディスキャナ装置に関する。
【０００２】
【従来の技術】
従来のハンディスキャナ装置は、イメージセンサからなる原稿読取り部が、スキャナ本体の底面で、かつ、スキャナ本体の移動方向の先端部（筐体エッジ部）から所定の距離離れた位置に設置され、スキャナ本体の側面または上部の原稿読取り部にあたる場所に印が付いている構造であり、この印を原稿内の読取りを開始したい位置に合わせて原稿を読取る方法をとっていた。
【０００３】
また、上記ハンディスキャナ装置の構成および読取り方法では、実際に原稿上の読取りを開始したい場所がハンディスキャナ装置と重なって見えないため、スキャナ本体の読取り部を原稿上の読取りを開始したい場所に正確に合わせるのが難しい問題を解決する方法として、ユーザーに前もって原稿を開始したい場所に対して、スキャナ本体の先端部合わせとか、読取る原稿の長さを命令入力部にて行ってもらっておいて、原稿読取り開始命令を行い、スキャナ本体がその先端部から原稿読取り部までの距離を自走した後に原稿読取りを開始させるように構成されていた（たとえば、特許文献１参照）。
【０００４】
【特許文献１】
特開平１０−１７３８７８号公報
【０００５】
【発明が解決しょうとする課題】
しかしながら、上記した従来のハンディスキャナ装置では実際に原稿上の読取り開始と終了したい場所が見えないため、スキャナ本体を推定で読取りたい部分の手前に置いた後、読込み開始を行い、また、読込みの終了も前記同様に読取りたい領域を越えて読取っていたため、不要な部分のデータがメモリに書き込まれ、メモリを有効に使用できないという問題があった。
【０００６】
また、更に、２回目の読取りを行った場合は、メモリ上では、前回の読取りデータの最終アドレスに続いて順次記憶してゆくことになり、多数回の読取りを行うと、メモリは無駄に使用されるという問題があった。
【０００７】
また、上記特許文献１の自走式ハンディスキャナ装置では、ユーザーに前もって読取り原稿の長さを命令入力部に入れる必要があるため、ハンディスキャナ装置とは別に原稿の長さを計測する道具が必要になり、更に、原稿が変わるとその都度、原稿の長さ計測とそのデータ入力とが必要となる問題点を有していた。そして、別手段で原稿の長さを測定するため、測定ミスや、測定データ入力ミスを生じる恐れがあった。
【０００８】
本発明は上記従来の問題点を解決するもので、メモリに記憶した読取りデータのうち、読取り終了信号を受信した時点から前記所定の距離に対応した読取りデータを無効とする。したがって、メモリに記憶した読取りデータのうち、該無効データは外部装置に転送しないため、転送の処理時間が早くなり、所望する画像部分のみ携帯端末の画面に効果的に表示することができる。
【０００９】
また、２回目からの読取りデータは、無効としたデータの先頭アドレスから、すなわち、有効としたデータの最終アドレスに続いて順次記憶してゆくことになり、メモリを有効に使用でき、装置の小型化と廉価化ができるハンディスキャナ装置を提供することを目的とする。
【００１０】
【課題を解決するための手段】
上記目的を達成するために、請求項１に記載の発明においては、スキャナ本体の底面で、かつ、スキャナ本体の移動方向の後端部から所定の距離離れた位置に原稿読取り部を有するハンディスキャナ装置であって、前記原稿読取り部が読取った読取りデータを記憶するメモリと、該メモリに対して書き込みと読出しの制御を行う制御部とを有し、該制御部は該メモリに記憶した読取りデータのうち、読取り終了信号を受信した時点から前記所定の距離に対応した読取りデータを無効とすることを特徴とする。
【００１１】
従って、請求項１に記載の発明によれば、メモリに記憶した読取りデータのうち、読取り終了信号を受信した時点から、前記スキャナ本体の後端部から原稿読取り部までの所定距離に対応した読取りデータを無効とすることができ、メモリを有効に使用できる。
【００１２】
請求項２に記載の発明においては、前記制御部は、前記メモリに記憶した読取りデータのうち、前記無効とされたデータについては画像処理装置に出力しないことを特徴とする。
【００１３】
従って、請求項２に記載の発明によれば、データ転送量とその処理時間が少なくて済む。
【００１４】
請求項３に記載の発明においては、前記制御部は、２回目からの読取りデータを、前記メモリに記憶したデータの前記無効とされなかった最終データに続いて順次記憶することを特徴とする。
【００１５】
従って、請求項３に記載の発明によれば、メモリに複数の原稿のデータを書き込み記憶する場合は、メモリに書き込まれた不要なデータ部分に新しい読取りデータを順次重ねて書き換えて書き込むことができ、メモリを有効に使用できる。
【００１６】
請求項４に記載の発明においては、前記原稿読取り部を前記スキャナ本体の先端部からの距離と後端部からの距離とが等しくなる位置に設けたことを特徴とする。
【００１７】
従って、請求項４に記載の発明によれば、スキャナ本体の読取り動作の移動方向がどちらになっても、読取り開始位置からの原稿読取り部までの距離と原稿読取り部から終了位置までの距離とを同じ長さにでき、移動方向に関係なく同一の制御で原稿を読取ることができる。
【００１８】
【発明の実施形態】
以下、本発明を実施の形態を示す図面に基づいて説明する。
【００１９】
図１は本発明ハンディスキャナ装置の内部機構を示す断面図、  図２は同ハンディスキャナ装置のハードウェア構成部のブロック図、  図３は同ハンディスキャナ装置の原稿読取り動作の模式図、図４（ａ）は同ハンディスキャナ装置の原稿読取り画像を示す図、図４（ｂ）は処理を行った最終画像データを示す図、図５は動作シーケンスを示すフローチャート、図６は表示装置にデータ転送を行う処理を示すフローチャートである。
【００２０】
図１において、１０１はスキャナ本体、１０２は原稿、１０３はイメージセンサ、１０４は原稿に当接してスキャナ本体の移動に応じて回転するローラ、１０５はローラの回転をエンコーダに伝えるギヤ、１０６はローラ１０４の回転にしたがってエンコーダパルスを発生するロータリエンコーダ、１０７は原稿読取り開始と終了を指示するスイッチである。
【００２１】
また、  図２において、２０１は以下の各ブロックを制御する制御部、２０２はユーザーが読取りの開始及び終了を指示するための開始／終了命令入力部であり、スイッチ１０７が接続される。２０３は原稿１０２を読取るためのイメージセンサからなる原稿読取り部で、イメージセンサからの光学信号を電気信号に変換する。この原稿読取り部２０３からの出力信号がアナログ画像信号のままの場合は、制御部２０１で信号を増幅、Ａ／Ｄ変換されるし、前記Ａ／Ｄ変換までを原稿読取り部２０３が行ってディジタル信号を制御部に出力できるようになっていてもよい。２０４は読取り時に原稿１０２と当接させてスキャナ本体１０１の移動とともに回転するローラである。２０５はローラ１０４の回転にしたがってエンコーダパルス（位置検出信号）を発生するエンコーダ部であって、この位置検出信号を制御部２０１に出力する。２０６は前記原稿読取り部２０３で電気信号に変換され、更に制御部２０１でＡ／Ｄ変換された画像データを記憶するＲＡＭ、または、不揮発性のメモリであるフラッシュメモリ等からなるメモリ、２０７は携帯電話など外部の入出力装置と接続してデータを授受するためのインターフェース部（Ｉ／Ｆ）、２１１は携帯電話などの外部表示装置である。その他の外部装置として、ＰＤＡ（ｐｅｒｓｏｎａｌ  ｄｉｇｉｔａｌ  ａｓｓｉｓｔａｎｔ）、パソコンなどの装置、更に、プリンタ、複写機、ファクシミリ等の画像形成装置にもデータを出力できる。
【００２２】
以上の各構成よりなるハンディスキャナ装置について、以下その動作を  図５と図６のフローチャートをもとに、図３、図４を用いて説明する。
【００２３】
図３の原稿読取り動作の模式図に示すように、原稿１０２を読取る場合は、まず、スキャナ本体１０１の移動方向の先端部（筐体エッジＡ）を原稿の読取り開始位置に合わせて置く。
【００２４】
次にスキャナ本体１０１に設けたスイッチ１０７を押し下げ、原稿読取り開始を制御部２０１に指示する（ステップＳ０１）。
【００２５】
このとき、スキャナ本体１０１に図示しない赤色の発光ダイオード（ＬＥＤ）を設けて、このＬＥＤを点灯させてユーザーに原稿を読取り中であることを知らせるようにしてもよい。
【００２６】
次に、スキャナ本体１０１を原稿１０２の読取り走査方向に移動させる（ステップＳ０３）。
【００２７】
このとき、スキャナ本体１０１の移動に応じてローラ１０４が回転し、このローラの回転がギヤ１０５を介して、エンコーダ部２０５に伝達され、エンコーダパルス（位置検出信号）が制御部２０１に出力される（ステップＳ０４）。
【００２８】
次に、制御部２０１は前記エンコーダ部２０５のパルス数を制御部２０１内に設けたＬ１カウンタでカウントする（ステップＳ０５）。すなわち、カウンタの計数値はスキャナ本体の移動量を示す。
【００２９】
次に、原稿読取り部２０３が原稿読取りの先端に移動したか否か、すなわち図４（ａ）に示すＬ１の距離だけ、スキャナ本体１０１が移動したかどうかを前記Ｌ１カウンタの数値が第１の規定値に到達したか否かで判断する（ステップＳ０６）。
【００３０】
もし、前記Ｌ１カウンタの数値が第１の規定値に達していなければ第１の規定値に達するまでスキャナ本体１０１を移動させる。
【００３１】
一方、前記Ｌ１カウンタの数値が第１の規定値に到達すれば（ステップＳ０６でＹＥＳ）、これ以降の原稿読取り部２０３の読取りデータについて、ＲＡＭ（ｒａｎｄｏｍ  ａｃｃｅｓｓ  ｍｅｍｏｒｙ）、あるいはフラッシュメモリ等のメモリ２０６に、前記エンコーダパルスをトリガーとして書き込み、更に書き込みアドレスを変えるために、そのメモリ２０６のアドレスカウンタをプラス１する（ステップＳ０７）。
【００３２】
次に、前記メモリ２０６のアドレスカウンタが第２の規定値（メモリのアドレス最大値）になったかどうか判断する（ステップＳ０８）。
【００３３】
もし、前記メモリ２０６のアドレスカウンタが第２の規定値に達した場合は、メモリフル（記憶領域が記憶したデータでいっぱいになった）と判断し、これ以降の読取りを終了させる。このとき、前記赤色ＬＥＤを消灯させて書き込みできない旨をユーザーに知らせるようにしてもよい。
【００３４】
一方、第２の規定値に達していなかった場合は、終了の指令が制御部２０１にされてないか判断する。このステップではスキャナ本体１０１の後端部（筐体エッジＢ）が、所定の原稿の読取り終了位置に到達したか、あるいは、中途で原稿の読取りが中止されたなどの理由で、スイッチ１０７の押し下げがあったか否か判断する（ステップＳ０９）。
【００３５】
もし、終了の指令が制御部２０１になされていなかった場合は、ステップ０３に戻って前記処理を終了まで繰り返し、一方、終了の指令が制御部２０１にされていた場合はこれ以降の読取りを終了させ、メモリへの新たな読取りデータの書き込みを停止し、原稿読取りとメモリへの記憶の処理を終了する。
【００３６】
この場合、前記した赤色ＬＥＤを消灯させて原稿読取りの終了をユーザーに知らせるようにしてもよい。
【００３７】
前記した方法によると、スキャナ本体１０１が読取ったデータは図４（ａ）に示す通りとなる。
【００３８】
つまり、図４（ａ）に示すように、原稿上の「１１１１１・・１」の手前に置いた２点破線で示したスキャナ本体１０１を示し、Ｔは、スキャナ本体１０１の原稿読取り部２０３が移動した距離で、前記カウンタで計数した総パルス数に相当する。
【００３９】
Ｌ１は、スキャナ本体１０１の走査方向の先端部から原稿読取り部２０３までの距離であって、前記第１の規定値に到達するまでの移動はメモリ２０６に書き込みを行わない読取りデータである。
【００４０】
Ｌ２は、スキャナ本体１０１の走行方向の原稿読取り部２０３から後端部までの距離であって、図３で示したように、原稿の読取り最終データになる「６６６６・・・６」の場所にスキャナ本体の後端部を合わせ終了指令した時、すでにメモリ２０６に書き込み済みの原稿読取りデータである。図３に示す実施例では白紙のデータが書き込まれている。
【００４１】
Ｔ２は、前記したとおり一旦、メモリ２０６に記憶される領域を示す。
【００４２】
前記Ｌ２のデータは表示には不必要なデータのため、原稿の読取りと記録の一連の処理を終了した後、続けてメモリ２０６に記憶した読取りデータの最終データからＬ２の領域のデータを無効にする、あるいは削除する処理を行った後、終了するようにしても良い。この方法によれば、不要なデータを削除でき、メモリ２０６を効率よく使用することができるとともに、外部にデータ転送する時に無効データを転送しないため、転送データ量を小さくすることができる。そして、上記した構成によれば、特許文献１に記載されたように読取りたい原稿部分の距離Ｌ１、Ｔを実測して、更に測定した長さを入力部から入力する操作をなくしてスキャナ本体で簡単に所望の位置が指定できる。
【００４３】
なお、上記した制御部の一連の制御は、制御部２０１内に設けたＭＰＵ（マイクロプロセッサーユニット）が、ＲＯＭ等に記憶したプログラムにしたがって処理を行っている。
【００４４】
また、携帯電話の待受け画面用として、写真原稿より顔部分の原稿を読取る場合は、スキャナ本体１０１の移動方向の先端部を前後左右に移動させて所定の位置に置き、前記したスイッチ１０７にて制御部２０１に原稿の読取り開始を指示し、スキャナ本体１０１を移動させ、所定の位置に後端部がきた時点で読取終了指示することにより、所望の顔部分のみの読取りが可能になる。
【００４５】
また、図３に示すように、原稿読取り部２０３はスキャナ本体１０１の走査方向の先端部からの距離Ｌ１と、後端部からの距離Ｌ２とが等しくなる位置に設けることにより、前後どちらの方向の読取りに際しても読取り開始位置と終了位置を同じ距離にでき、制御が簡単になり、ユーザーが読取り方向を選択しなくても良いという効果がある。
【００４６】
次に、ハンディスキャナ装置で原稿の読取りを終了後、携帯電話などの外部表示装置２１１へ読取った原稿のその画像データを転送するための処理を図６のフローチャートで説明する。
【００４７】
先ず、このスキャナ本体１０１を携帯電話とのデータ送受信用コネクターに接続する。
【００４８】
制御部２０１は、外部装置へのデータ転送の準備ＯＫか、すなわち、携帯電話へのデータの送信が可能な状態になったか否かを判断する（ステップＳ２１）。
【００４９】
次に、データの転送が可能になったと判断すれば、制御部２０１はメモリ２０６に記憶したデータの先頭アドレスを制御部２０１内のレジスタＨＡにセットする（ステップＳ２２）。
【００５０】
次に、制御部２０１は同じくメモリ２０６に記憶したデータの転送データの最終アドレスを下記により算出し、制御部２０１内のレジスタＥＡにセットする。
【００５１】
前記最終アドレスの算出は、前記スイッチ１０７により読取り終了指令がされるまでにすでに前記メモリ２０６に書き込んだ最後の書き込みアドレスから、前記Ｌ２に相当するアドレス分を引き算して求める（ステップＳ２３）。
【００５２】
次に、この算出して求めた前記読み出し最終アドレス（レジスタＥＡの値）までのデータを先頭アドレスＨＡから順番に、携帯電話に転送する（ステップＳ２４）。
【００５３】
次に、前記転送のデータが読み出し最終アドレスか、否か判断し（ステップＳ２５）、ＥＡが最終アドレスの値でなければステップＳ２４に戻ってデータ転送を繰り返し、最終アドレスＥＡを検出してデータを転送すれば、外部装置へのデータ転送を終了する。
【００５４】
上記説明した算出方法の詳細は以下のとおりである。すなわち、メモリ２０６からの読み出し最終アドレスＥＡは、スキャナ本体１０１のイメージセンサの解像度が３００ｄｐｉであり、Ｌ２の長さが１５ミリ、メモリ２０６に終了前の最後に書き込んだ該最後の書き込みアドレスＷＥＡが１２００番地で、メモリ２０６の先頭アドレスＨＡが０番地であった場合、それぞれの数値を以下の計算式に代入して算出すると、
【００５５】
【数１】
ＥＡ＝ＨＡ＋ＷＥＡ−（１５×３００／２５．４）    ・・・（１）
最終アドレスＥＡは、１０２３番地になる。
【００５６】
したがって、イメージセンサで読取った１ラインのデータを１アドレスとして記憶した場合は、メモリ２０６のアドレス１番地から１０２３番地のデータのみ転送することができる。
【００５７】
前記したデータ転送方法によると、図４（ｂ）に示すように、スキャナ本体１０１の前記移動方向の先端部と後端部とで指定したデータを携帯電話の表示画面で表示可能になり、携帯電話等の小さな画面に表示させた場合、不要な部分の画像のデータ、例えば白紙のデータも含め、携帯電話機に転送されて表示がなされるため、地図などの表示では見たい個所がよく見えないという問題や、前記した顔写真では所望の画像が得られないため、携帯電話の待ち受け画面に使用できないという問題等を解決することができた。
【００５８】
次に、複数の原稿のデータをメモリ２０６に書き込み、外部装置にデータ転送する実施形態について説明する。
【００５９】
すなわち、複数のデータをメモリに記憶する場合は、２回目からの読取りデータを、前記メモリに記憶したデータのうちで無効としたデータを排除して、有効な最終データに続いて順次記憶するようにした。そして、外部装置へのデータ転送は、外部装置の要求に応じてブロック単位でデータ転送するようにした。以下その説明をおこなう。
【００６０】
まず、読込んだデータを１つのファイルとして管理するため、読込んだデータの先頭アドレスをＨＡ、有効な最終アドレス（前記したＬ２部分のデータを削除したアドレス）をＥＡ、ファイル名、日時等の属性データをその原稿のデータの最終アドレスＥＡの後に添付して連続して書き込み、１つのデータファイルとして管理する。
【００６１】
つぎに、２回目に読取ったデータのメモリへの書き込みは、前記同様に処理を行い前記アドレスの後に連続して、２回目の読取ったデータとその属性データを書き込む。
【００６２】
以下同様にメモリ２０６の容量の範囲内で複数の原稿のデータを書き込み、画像ファイルとして管理する。
【００６３】
データの読み出しは、接続した外部装置２１１の転送要求にしたがって、記憶したファイル順番に先頭アドレスＨＡと最終アドレスＥＡを入れ替えて制御部２０１のカウンタにセットし、属性データと共に上記した手順でデータを転送する。
【００６４】
なお、前記メモリ２０６の容量が小さい場合は、カード型記憶装置を外部増設用メモリ２０６として用いる。この場合は、大容量のデータを読取り、記録することが可能になる。
【００６５】
上記した構成によれば、所望しない不要なＬ２のデータを削除でき、メモリ２０６を効率よく使用可能になる。
【００６６】
以上、上記した実施形態では、位置を検出する手段として、原稿用紙と当接するローラを用いたが、勿論、非接触の光学センサーによる位置検出手段を用い、ハンディスキャナ装置の移動に応じて、パルス信号を制御部に出力するように構成しても前記同様の効果が得られる。
【００６７】
また、上記した一つの原稿のみの読取処理では、原稿の読取みのつど、メモリに記憶した前回読取った古いデータを無効にして、新しい読取データを古いデータの上から書き換えてメモリに記憶するようにしている。また、ハンディスキャナ装置の電源が切れると、ＲＡＭメモリを使用した場合はデータが初期化されるが、不揮発性のメモリを使用している場合は、開始スイッチを押し下げて読取の開始の指示がされるたびに、メモリのデータ記憶領域を初期化するようにしてもよい。
（付記１）  スキャナ本体の底面で、かつ、スキャナ本体の移動方向の後端部から所定の距離離れた位置に原稿読取り部を有するハンディスキャナ装置であって、
前記原稿読取り部が読取った読取りデータを記憶するメモリと、
該メモリに対して書き込みと読出しの制御を行う制御部とを有し、
該制御部は該メモリに記憶した読取りデータのうち、読取り終了信号を受信した時点から前記所定の距離に対応した読取りデータを無効とすることを特徴とするハンディスキャナ装置。
【００６８】
（付記２）  前記制御部は、前記メモリに記憶した読取りデータのうち、前記無効とされたデータについては画像処理装置に出力しないことを特徴とする付記１に記載のハンディスキャナ装置。
【００６９】
（付記３）  前記制御部は、２回目からの読取りデータを、前記メモリに記憶したデータの前記無効とされなかった最終データに続いて順次記憶することを特徴とする付記１と２に記載のハンディスキャナ装置。
【００７０】
（付記４）  前記原稿読取り部を前記スキャナ本体の先端部からの距離と後端部からの距離とが等しくなる位置に設けたことを特徴とする付記１乃至３記載のハンディスキャナ装置。
【００７１】
（付記５）  前記記憶手段が規定データ量に達したことを表示する手段を有したことを特徴とする付記１乃至４に記載のハンディスキャナ装置。
【００７２】
（付記６）  前記読取りデータを画像ファイルとして読取りデータごとに属性を付加して管理する手段を有したことを特徴とする付記１乃至５に記載のハンディスキャナ装置。
【００７３】
【発明の効果】
以上の説明より明らかなように、本発明によれば、読取りたい原稿の場所の指定を、そのスキャナ本体の先端部エッジと後端部エッジを用いて簡単に指定できる。
【００７４】
また、メモリに記憶した読取データのうち、前記スキャナ本体で指定した領域以外の記録データを無効とすることができ、この読取データを外部表示装置に転送する場合は、表示に不要な無効データは転送を行わずして、携帯電話等の画面に無効な部分の表示を防止することができる。
【００７５】
また、複数の原稿のデータをメモリに記憶する場合は、無効としたデータ領域のデータを削除してアドレスを詰めて記憶するため、メモリを有効に使用でき、装置の小型化と廉価化ができるといった優れた効果がある。
【図面の簡単な説明】
【図１】本発明のハンディスキャナ装置の要部を説明する断面図
【図２】本発明のハンディスキャナ装置のハードウェア構成図
【図３】ハンディスキャナ装置の原稿読取り動作の模式図
【図４】（ａ）ハンディスキャナ装置の読取り範囲の画像を示す図。（ｂ）処理を行った最終画像データを示す図
【図５】データ読取りのフローチャート
【図６】データ転送のフローチャート
【符号の説明】
１０１  ハンディスキャナ装置、スキャナ本体
１０２  原稿
１０３  イメージセンサ
１０４  ローラ
１０５  ギヤ
１０６  ロータリエンコーダ
１０７  スイッチ
２０１  制御部
２０２  開始／終了命令入力部
２０３  イメージセンサからなる原稿読取り部、
２０４  ローラ
２０５  エンコーダ部
２０６  メモリ
２０７  インターフェース部（Ｉ／Ｆ）
２１１  外部表示装置
【図１】
2004266591.tif 000003
【図２】
2004266591.tif 000004
【図３】
2004266591.tif 000005
【図４】
2004266591.tif 000006
【図５】
2004266591.tif 000007
【図６】
2004266591.tif 000008